(57)【特許請求の範囲】
【請求項１】
中空円筒状を有し、先端部にペン芯出入孔（１１）が貫通されるペンハウジング（１０）と、
前記ペンハウジング（１０）の一側上端に備えられるクリップ部材（２０）と、
前記ペンハウジング（１０）の内部へ収容され、先端にペン芯（３１）が、他側にはノブ（３２）が結合された状態で内部にインク部材を収容しているインクホルダー（３０）と、
前記インクホルダー（３０）を付勢するスプリング（５０）と、
前記ノブ（３２）を繰り返して押入することによって前記ペン芯（３１）が前記ペンハウジング（１０）の外部へ露出した状態でロック、または内部へ収容されるようにするアンロックを繰り返すようになるロック手段（７０）が備えられ、
前記ロック手段（７０）は、前記クリップ部材（２０）の内側面で左右にそれぞれ深さと形状が異なる２つのカム通路（７１，７２）と、ハート状のカム受け部（７３）が形成され、
前記インクホルダー（３０）には、円周方向に嵌合溝（３６）が掘り出され、係止突起（７５）が突出するように設けられた中空円筒状の作動体（７４）が、前記嵌合溝（３６）に回転自在に嵌合されており、前記作動体（７４）の設置位置を制御するようにガイド通路（１５）に沿って移動されるガイド顎（３８）が一体に突出成形されており、
前記ペンハウジング（１０）には、前記ノブ（３２）の操作で前記インクホルダー（３０）及び前記作動体（７４）が２つの前記カム通路（７１，７２）に沿って移動されることをガイドするためのガイド通路（１５）が成形された筆記具において、
前記作動体（７４）は、内径が前記嵌合溝（３６）の外径と対応する寸法を有する、一定の厚さの中空円筒状であり、前記作動体（７４）は、円周上において前記係止突起（７５）と対向する部分は開けられており、前記作動体（７４）は開けられた部分が広げられて前記嵌合溝（３６）に取り付けられており、
前記作動体（７４）は一定の弾性を有しており、外力が作用した時は、円周方向に回転自在に前記嵌合溝（３６）に取り付けられており、
ハート状の前記カム受け部（７３）の両側に形成された２つの前記カム通路（７１，７２）に沿って前記係止突起（７５）が上下、左右に移動されることは、前記作動体（７４）が前記嵌合溝（３６）に回転自在に設けられていることによって可能であり、
前記クリップ部材（２０）は、上部に一体に成形されたヒンジ軸（２１）が設けられ、前記ヒンジ軸（２１）が、前記ペンハウジング（１０）に設けられた軸孔（１６）に嵌合されることにより、前記ヒンジ軸（２１）を中心に回動可能に前記ペンハウジング（１０）に取り付けられており、
前記係止突起（７５）がそれぞれ深さと形状が異なるように成形された２つの前記カム通路（７１，７２）と前記カム受け部（７３）とに沿って移動される時に、前記ヒンジ軸（２１）の外側へ前記クリップ部材（２０）と前記ペンハウジング（１０）との間に設けられたコイルスプリング（７８）によって、前記クリップ部材（２０）は、２つの前記カム通路（７１，７２）の深さの差の範囲内で前記ペンハウジング（１０）からの距離が広がる方向、および、狭くなる方向に発生される変位に対して対応して移動することになり、
前記クリップ部材（２０）は、常に前記作動体（７４）の前記係止突起（７５）に密着される方向へ弾性力が作用されていることを特徴とする出没式筆記具のプッシュロック装置。
【発明の詳細な説明】
【技術分野】
【０００１】
本発明は、出没式筆記具のプッシュロック装置に関し、より詳細には、より簡単な構成でも筆記具のペン芯を使用時のみに外部へ突出させ、非使用時には、内部へ収容させてペン芯の棄損を防止できるように発明されたものである。
【背景技術】
【０００２】
一般的に、筆記具は、ボールペンをはじめ、サインペン、蛍光ペン、マジックペンなどをいい、これらの大部分は、筆記用芯材の乾きを防止するために密閉用キャップが脱着可能に固定される。
【０００３】
このような筆記具は、大きくペン芯が固定されており、キャップ（ｃａｐ、以下、蓋という）を使用する固定式と、軸の一部を回転させることにより、螺旋パイプに沿って芯の一部が外へ出るようにした回転式（繰出式）と、軸の一部分を押すことにより、スプリングが動いてペン芯が出るようにするノック式と、ペン芯が突出及び没入されるようにスライドさせる出没式（ｓｌｉｄｅ  ｔｙｐｅ）がある。
【先行技術文献】
【特許文献】
【０００４】
【特許文献１】韓国特許第１０−１９９５−００００７７６号（公告番号日付：１９９５．０６．２６）
【特許文献２】韓国実用新案第２０−１９８９−０００３６４４号（公告日付：１９８９．０４．０７）
【特許文献３】韓国特許第１０−１９９５−００００７７６号（公告日付：１９９５．０２．０２）
【発明の概要】
【発明が解決しようとする課題】
【０００５】
特許文献２（キャップのない筆記具）は、ノック部を押すと、ペン先が内通に設けられた弾性体を突き抜けてペン先が露出してペンを使用するようにし、ノック部を解除、または再び押すことによってペン先が元の場所に戻るようになる。
【０００６】
この時、ペン芯が揮発性の場合、内部に乾き防止装置を設けることによって、切欠された弾性体が互いに当接して密閉されることにより、ペン先の乾きを防くこともある。
【０００７】
一方、特許文献３では、運搬時に筆記部材が筆記具の本体内に後退しないながらも信頼性のあるように密閉され得るようにした筆記具が提案された事がある。
【０００８】
この筆記具には、筆記部材を前・後進出没させるために、プッシュロック装置を備えている。
【０００９】
従来の知られているプッシュロック装置は、出没される筆記芯の反対側にボタンがケースの外部へ露出し、このボタンを１回プッシュするとロックされ、再び１回プッシュするとロックが解除される。
【００１０】
ロック及びアンロックのための装置では、ボタンの下端部の周りには、係止高さが異なるようにラッチ突起が繰り返し成形され、ボタンの下端内側に組み立てられる回転部材が１回プッシュする時は、筆記部材が前進した状態で、ボタンのラッチ突起に係止されるようになる。
【００１１】
したがって、筆記部材の後退を防止した状態からケースの先端に露出した芯を用いて筆記が可能になる。
【００１２】
そして、再びボタンを１回プッシュすると、回転部材が共に前進された後、後退される時、ラッチ突起の係止突起が深い方へ回転されながら筆記部材と共にボタン方向へ深く移動されることにより、筆記部材の先端がケースの内部へ収納されて棄損を防止するようになる。
【００１３】
しかし、この方式は、頻繁な使用によって回転部材とラッチ突起との摩擦で係止部の位置で損傷が繁く生じ、誤動作が頻繁に生じる問題点があった。
【００１４】
また、ケースを必ず上部ケースと下部ケースとに分割する方式でのみ部品などを組み立て、分解することができるので、組立性が悪いという短所がある。
【００１５】
本発明の目的は、構成が簡単で、より簡単にプッシュ−プッシュ操作でペン芯を出没させ得るようにした筆記具のロック装置を提供することにある。
【００１６】
本発明の他の目的は、繰り返される使用でもロック機能を失ったり、故障が発生する場合を未然に防止し、組立性が優れており、製品の信頼性が向上できるようにした出没式筆記具のロック装置を提供することにある。
【課題を解決するための手段】
【００１７】
このような目的を達成するために、本発明の構成は、中空円筒状を有し、先端部にペン芯出入孔１１が貫通されるペンハウジング１０と、
前記ペンハウジング１０の一側上端に備えられるクリップ部材２０と、
前記ペンハウジング１０の内部へ収容され、先端にペン芯３１が、他側にはノブ３２が結合された状態で内部にインク部材を収容しているインクホルダー３０と、
前記インクホルダー３０を付勢するスプリング５０と、
前記ノブ３２を繰り返して押入することによってペン芯３１がペンハウジング１０の外部へ露出した状態でロック、または内部へ収容されるようにするアンロックを繰り返すようになるロック手段７０が備えられ、
前記ロック手段７０は、クリップ部材２０の内側面で左右にそれぞれ深さと形状が異なるカム通路７１，７２と、ハート状のカム受け部７３が形成され、
前記インクホルダー３０には、円周方向に嵌合溝３６が掘り出され、係止突起７５が突出するように設けられた中空円筒状の作動体７４が、前記嵌合溝３６に回転自在に嵌合されており、
前記ペンハウジング１０には、ノブ３２の操作でインクホルダー３０及び作動体７４がカム通路７１，７２に沿って移動されることをガイドするためのガイド通路１５が成形された筆記具において、
前記作動体７４は、内径が前記嵌合溝３６の外径と対応する寸法を有する、一定の厚さの中空円筒状であり、前記作動体７４は、円周上において前記係止突起７５と対向する部分は開けられており、前記作動体７４は開けられた部分が広げられて前記嵌合溝３６に取り付けられており、
前記作動体７４は一定の弾性を有しており、外力が作用した時は、円周方向に回転自在に前記嵌合溝３６に取り付けられており、
ハート状の前記カム受け部７３の両側に形成された２つの前記カム通路７１，７２に沿って前記係止突起７５が上下、左右に移動されることは、前記作動体７４が前記嵌合溝３６に回転自在に設けられていることによって可能であり、
前記クリップ部材２０は、上部に一体に成形されたヒンジ軸２１が設けられ、前記ヒンジ軸２１が、前記ペンハウジング１０に設けられた軸孔１６に嵌合されることにより、前記ヒンジ軸２１を中心に回動可能に前記ペンハウジング１０に取り付けられており、
前記係止突起７５がそれぞれ深さと形状が異なるように成形された２つの前記カム通路７１，７２と前記カム受け部７３とに沿って移動される時に、前記ヒンジ軸２１の外側へ前記クリップ部材２０と前記ペンハウジング１０との間に設けられたコイルスプリング７８によって、前記クリップ部材２０は、２つの前記カム通路７１，７２の深さの差の範囲内で前記ペンハウジング１０からの距離が広がる方向、および、狭くなる方向に発生される変位に対して対応して移動することになり、
前記クリップ部材２０は、常に前記作動体７４の前記係止突起７５に密着される方向へ弾性力が作用されていることを特徴とする。
【００１８】
ここで、前記インクホルダー３０には、作動体７４の設置位置を制御するようにガイド通路１５に沿って移動されるがイド顎３８が一体に突出成形される。
【発明の効果】
【００１９】
このような本発明によれば、部品構成が簡単で、組立性が優れた出没式筆記具のプッシュロック装置を提供することができる。
【００２０】
また、耐久性も優れて製品の信頼性が向上する効果がある。
【図面の簡単な説明】
【００２１】
【図１】本発明の筆記具ペン芯が内部に保管されて気密を維持する状態を示した斜視図。
【図２】本発明の筆記具ペン芯が露出する状態を示した斜視図。
【図３】本発明の要部構成を分解して示した分解斜視図。
【図４】本発明のインクホルダーに作動体が設けられる状態を示した斜視図。
【図５】本発明のペンハウジングとクリップ部材とが分解された状態を示した斜視図。
【図６】本発明の筆記具ペン芯が内部へ保管されて気密を維持する状態のロック手段の構成を示した要部断面図。
【図７】本発明の筆記具ペン芯が露出するようにノブを操作して係止突起がカム受け部に係止されるロック手段の構成を示した要部断面図。
【図８】本発明の作動体に突出された係止突起がクリップ部材に掘り出されたカム受け部に設けられた状態を示した図７の要部横断面図。
【図９】クリップ部材に掘り出されたカム通路に沿って係止突起が移動されるステップを示した斜視図。
【図１０】クリップ部材に掘り出されたカム通路に沿って係止突起が移動されるステップを示した斜視図。
【図１１】クリップ部材に掘り出されたカム通路に沿って係止突起が移動されるステップを示した斜視図。
【図１２】クリップ部材に掘り出されたカム通路に沿って係止突起が移動されるステップを示した正面図。
【図１３】本発明がペン芯の乾き防止機能を有する実施例であって、本発明の筆記具ペン芯が露出した状態でペンハウジングの内部を示した斜視図。
【図１４】本発明がペン芯の乾き防止機能を有する実施例であって、本発明の筆記具ペン芯が内部へ保管されて気密を維持する状態の一部切欠断面図。
【図１５】本発明がペン芯の乾き防止機能を有する実施例であって、インクホルダーに形成されたカム突起がガイド部材の係止部に接触して押されて移動される状態を示した要部正面図。
【図１６】本発明がペン芯の乾き防止機能を有する実施例であって、インクホルダーに形成されたカム突起がガイド部材の移動ホールの位置に進入して移動される状態を示した要部正面図。
【発明を実施するための形態】
【００２２】
以下、本発明の好ましい実施例を添付された図面に基づいて、詳細に説明すると、次の通りである。
【００２３】
図面に示されたように、本発明の出没式筆記具のプッシュロック装置は、例として、ボールペンのように、乾き防止機能と無関係な筆記部材をノブの１回のプッシュ操作で出没した状態を維持したり、また、１回のプッシュ操作でペンッアハウジングの内部に収容された状態を維持できるようにする。
【００２４】
また、蛍光ペン、マジックペン、サインペン、プラスペンなどの揮発性の強いインクを使用する筆記具のペン芯を使用時にのみ外部へ突出させ、非使用時には内部へ気密されるように収容させて、インクの蒸発防止及びペン芯の乾きを防止する用途の筆記具にも適用され得るようにしたものである。
【００２５】
前記ペンハウジング１０は、中空の管状で、その内部へインクホルダー３０及び乾き防止機能を有する密閉部材４０が収容され、外部にはクリップ部材２０が備えられている。
【００２６】
インクホルダー３０は、インクを注いで繰り返し使用される注入式と、インク交換式も適用可能である。
【００２７】
ペンハウジング１０は、先端にペン芯出入孔１１が形成され、インクホルダー３０のペン芯３１が露出できるようにする。
【００２８】
また、ペンハウジング１０の外側上部にクリップ部材２０を備えるようになるが、このクリップ部材２０の内側に備えられたカム装置と作動体７４との作動でインクホルダー３０の前進及び後進状態を維持できるようにするロック手段７０が設けられている。
【００２９】
該ロック手段７０は、ペンハウジング１０の上端に露出したインクホルダー３０のノブ３２を一回押すとロック状態、また、繰り返して押すとアンロック状態に切り替えられる。
【００３０】
前記ペンハウジング１０の内部へ収容されるインクホルダー３０は、先端にペン芯３１が結束され、その他側では内部へインクが充填、または交換できるようにノブ３２が着脱可能に備えられる。
【００３１】
インクホルダー３０の先端には、ペン芯３１の出没は可能な状態で、使用中でない収容状態ではインクの乾きを防止するためのシール機能を有する密閉部材４０が設けられることもある。
【００３２】
密閉部材４０は、先端にカバー４１が軟質ゴム材または合成樹脂材でヒンジ機能を有するように連結されているが、このカバー４１は、自然状態でのようにペン芯３１の出没に支障を与えないように本体と略直角方向に開放されている状態を維持するようになる。
【００３３】
このカバー４１は、ガイド部材６０のカム溝６７の位置に嵌合されてガイド部材６０の前・後進作動によって密閉作動が制御される。
【００３４】
このガイド部材６０は、中空筒状の合成樹脂材で前記密閉部材４０とペンハウジング１０との間に設けられる。
【００３５】
したがって、ガイド部材６０は、その内部へ密閉部材４０を収容した状態でインクホルダー３０が前・後進される時に共に移動されながらカバー４１がカム溝６７に沿ってガイドされ、開閉作動をガイドするようになる。
【００３６】
また、ガイド部材６０の側面部には、長手方向に沿って係止部６１と、移動ホール６２とが掘り出され、先端にはペン芯３１の移動が可能になるように作動孔６５が開けられている。
【００３７】
前記インクホルダー３０には、前記ガイド部材６０の係止部６１に接触された状態で、ガイド部材６０を移動させるようにし、移動ホール６２に沿って移動されるカム突起３７が一体に突出成形されている。
【００３８】
したがって、ペン芯３１を収容した状態でインクホルダー３０とガイド部材６０との前・後進動作に応じて、その先端にヒンジ連結されたカバー４１が開放され、ペン芯３１の出没が可能になる。
【００３９】
一方、前記密閉部材４０は、軟質のゴム材で、その外径部には、突起４４を突出成形して、前記突起４４を収容溝４６の内側へ収容した状態で結合され、ペンハウジング１０の内側へ形成された顎部１８に係止されるようにする固定キャップ４５が設けられる。
【００４０】
この密閉部材４０に結合された固定キャップ４５とインクホルダー３０との間には、スプリング５０が弾力設けられている。
【００４１】
したがって、密閉部材４０のカバー４１が開放された状態で、再び密閉される時にガイド部材６０の後退でカム溝６７がカバー４１の位置を取り締まってペン芯３１の周囲が気密を維持できるように引いて密閉させるのである。
【００４２】
この時、インクホルダー３０がガイド部材６０と共に後退されるが、固定キャップ４５とインクホルダー３０との間に設けられたスプリング５０の弾性力でカム溝６７に位置制御されているカバー４１は、密閉部材４０の先端部に密着された状態を維持できるように付勢されるのである。
【００４３】
そして、ガイド部材６０の一側、または両側には、長手方向に沿って移動ホール６２が長く掘り出されるが、その入口には、移動ホール６２の通路を狭くする係止部６１が突出成形されている。
【００４４】
一方、インクホルダー３０には、一体に、この係止部６１の接触位置でカム突起３７が突出成形されている。
【００４５】
このような構造からなった本発明は、インクホルダー３０がペンハウジング１０の内部へ収容された状態でペンを使用していない携帯及び保管状態では、スプリング５０の弾性力でペン芯３１が密閉部材４０の内部でカバー４１が覆われられ、気密を維持した状態で後退されている。
【００４６】
この状態でペン芯３１をペンハウジング１０の先端に露出して使用しようとする場合には、ロック手段７０を作動するためにノブ３２をクリックしてインクホルダー３０を密閉部材４０と共に前進させるようになる。
【００４７】
この時、インクホルダー３０の外側へ突出されていたカム突起３７は、ガイド部材６０の係止部６１に接触した状態でガイド部材６０が移動可能な範囲、すなわち、ガイド部材６０がペンハウジング１０の先端内側に接触される距離まで最大限押して移動させるようになる。
【００４８】
また、密閉部材４０に結合されている固定キャップ４５は、ペンハウジング１０の内側へ形成された顎部１８に係止されているようになるので、密閉部材４０の本体は移動できないようになる反面、その先端にヒンジ連結されたカバー４１は、ガイド部材６０のカム溝６７の位置に応じて開閉される。
【００４９】
カム溝６７の形状は、インクホルダー３０の移動方向と並んでいる直線部６７ａと、カバー４１とが密閉部材４０の先端で密着され得るように圧着させるための傾斜部６７ｂにつながるように成形されている。
【００５０】
したがって、ガイド部材６０がペンハウジング１０の先端内側へ接触してこれ以上移動できなくなる位置まで移動すると、カバー４１は、カム溝６７の傾斜部６７ｂの位置から直線部６７ａの位置へ位置移動される結果で、密閉部材４０の先端部から開放される。
【００５１】
この時は、インクホルダー３０の前進移動でカム突起３７に接触されていた係止部６１との間が自体弾力によって広げながら移動ホール６２の位置に進入され、ペン芯３１とインクホルダー３０とは、引き続き、更に前進移動されてペン芯３１を用いた筆記が可能な状態に露出する。
【００５２】
また、ペン芯３１を気密維持状態でペンハウジング１０の内部に収容させようとする時は、クリップ部材２０、またはノブ３２をクリックしてロック手段７０の操作でアンロック状態に切り替えさせると、スプリング５０の弾性力によってインクホルダー３０とペン芯３１とが後退始めるようになる。
【００５３】
そして、ガイド部材６０が後退されながらカム溝６７の直線部６７ａに位置されていたカバー４１が傾斜部６７ｂの位置にガイドされながらずっと後退することによってペン芯３１が密閉部材４０の内部でカバー４１が密閉されながら気密状態を維持するように位置されることである。
【００５４】
ここで、前記カム突起３７は、移動ホール６２に沿って後退された後、ガイド部材６０が密閉部材４０に係止されてこれ以上後退できない位置では、カム突起３７が係止部６１を再び広がるようにし、もっと後退して初期状態に位置されることである。
【００５５】
インクホルダー３０とガイド部材６０とが互いに離脱を防止した状態で組み立てられ後退時に共に移動され得るようにインクホルダー３０には、係止顎３３を突出成形し、これに対応する位置にガイド部材６０には、作動溝６６を掘り出すようになる。
【００５６】
このような動作でインクホルダー３０とペン芯３１は、筆記が可能に露出するように、または、ペンハウジング１０の内部へ収容された状態では気密を維持してインクの蒸発やペン芯の乾きを防止することができることである。
【００５７】
一方、本発明のロック手段７０は、クリップ部材２０の内側面で左右にそれぞれ深さと形状が異なるカム通路７１，７２と、ハート状のカム受け部７３とが形成される。（図５及び図１２）
【００５８】
そして、前記インクホルダー３０には、円周方向に嵌合溝３６を一定の深さで掘り出して円筒クリップ状の作動体７４を嵌合して設けるようになる。
【００５９】
作動体７４は、一定の厚さの中空円筒状で係止突起７５が突出した反対側は、開けられ、一定の弾性を有している。
【００６０】
したがって、作動体７４の開けられた部分を僅か広がるようにして嵌合溝３６に取り付けられるが、作動体７４の自由状態では、その内径が嵌合溝３６の外径と対応する寸法で設計することにより、外力が作用される時は、円周方向に左右回転可能に設けられることである。
【００６１】
また、前記ペンハウジング１０には、ノブ３２の操作でインクホルダー３０及び作動体７４がカム通路７１，７２に沿って移動されることをガイドするためのガイド通路１５が成形されている。
【００６２】
このガイド通路１５は、図５に示されたように、ノブ３２に近接した位置では、係止突起７５が垂直方向に係止突起７５の幅分だけ切り取りされ、カム通路７１、７２の位置では左右に係止突起７５が移動可能な範囲だけの幅が広がる形状で開けられるようになる。
【００６３】
ここで、前記インクホルダー３０には、作動体７４の設置位置と併せて、ノブ３２を押圧操作する時に、垂直方向へインクホルダー３０と作動体７４とが移動され得るようにガイド通路１５に沿って移動されるがイド顎３８が一体に突出成形される。
【００６４】
前記ロック手段７０のカム通路７１，７２は、左右にそれぞれ深さと形状が異なるように成形され、先端部分にはハート状のカム受け部７３が形成されている。
【００６５】
したがって、ノブ３２をユーザーが強制に押すようになると、係止突起７５がガイド通路１５に沿って最初には、直線に下降された後、一側のカム通路７１に沿って横に広げながらずっと下降される。（図９）
【００６６】
そして、ずっと下降させると、一側のカム通路７１の案内でカム受け部７３の位置まで係止突起７５を移動させて係止されるように誘導するようになる。（図１０）
【００６７】
この時は、インクホルダー３０のペン芯３１が筆記が可能に露出する。
【００６８】
また、露出していたペン芯３１をペンハウジング１０の内部に収容しようとする時は、再びノブ３２を強く押す動作によって他側のカム通路７２の案内でカム受け部７３に係止されていた係止突起７５が係止解除された後、戻される方向にガイドされる。（図１１）
【００６９】
この時は、インクホルダー３０を付勢するスプリング５０の弾力でノブ３２を一回加圧した後、力を取り除いてもインクホルダー３０及び作動体７４とノブ３２が最初の位置に自動で戻される。
【００７０】
一方、略ハート状でカム受け部７３の両側に形成されるカム通路７１，７２に沿って係止突起７５が上下、左右に移動されることは、作動体７４が嵌合溝３６の位置で回転自在に設けられることによって可能になる。
【００７１】
また、前記クリップ部材２０は、カム通路７１，７２とカム受け部７３との設置深さが異なるようになるので、係止突起７５と接触されながら移動される時に、その深さの差だけペンハウジング１０から距離が広がったり、狭くなる方向に変位が発生される。
【００７２】
この変位に対して対応するために、前記ペンハウジング１０には、軸孔１６を掘り出し、クリップ部材２０には、該軸孔１６へ強制的に自体弾性によって嵌合されるヒンジ軸２１が一体に成形されている。
【００７３】
そして、クリップ部材２０が常に作動体７４の係止突起７５に密着される方向へ弾力を維持できるようにヒンジ軸２１の一側にコイルスプリング７８を弾力として設けるようになる。
【００７４】
このような構成からなった本発明のロック手段７０によれば、ユーザーがノブ３２を１回プッシュすると、係止突起７５がカム受け部７３に係止されてペン芯３１が露出して筆記可能な状態に切り替えられ、再び１回プッシュすると、係止突起７５の係止が解除されながらペン芯３１がペンハウジング１０の内部に収容されて保護できるようになる。
【００７５】
前記のような本発明のロック装置によれば、その構造が比較的簡単でコストが安いだけでなく、故障のおそれが少なく、より製品の寿命を延ばし、信頼性を向上させることができる。
【００７６】
以上で説明した本発明は、前述した実施例及び図面によって限定されるものではなく、本発明の技術的思想を逸脱しない範囲内で、様々な置換、変形、及び変更が可能であることは、本発明が属する技術分野における通常の知識を有する者にとっては明らかであろう。
【符号の説明】
【００７７】
１０  −  ペンハウジング
１１  −  ペン芯出入孔
１５  −  ガイド通路
１６  −  軸孔
２０  −  クリップ部材
２１  −  ヒンジ軸
３０  −  インクホルダー
３１  −  ペン芯
３２  −  ノブ
３６  −  嵌合溝
３７  −  カム突起
３８  −  がイド顎
４０  −  密閉部材
４１  −  カバー
５０  −  スプリング
６０  −  ガイド部材
６１  −  係止部
６２  −  移動ホール
６７  −  カム溝
７０  −  ロック手段
７１，７２  −  カム通路
７３  −  カム受け部
７４  −  作動体
７５  −  係止突起
７８  −  コイルスプリング
【図１】
0005979459.tif 000002
【図２】
0005979459.tif 000003
【図３】
0005979459.tif 000004
【図４】
0005979459.tif 000005
【図５】
0005979459.tif 000006
【図６】
0005979459.tif 000007
【図７】
0005979459.tif 000008
【図８】
0005979459.tif 000009
【図９】
0005979459.tif 000010
【図１０】
0005979459.tif 000011
【図１１】
0005979459.tif 000012
【図１２】
0005979459.tif 000013
【図１３】
0005979459.tif 000014
【図１４】
0005979459.tif 000015
【図１５】
0005979459.tif 000016
【図１６】
0005979459.tif 000017